(57)【要約】  部品の重量バランスが良い電動船を提供する。船尾に取付けられた電動モータと、電動モータに電気的に接続されると共に、船首と船尾を結ぶ略中央軸線上に配置されるか、もしくは、船首と船尾を結ぶ略中央軸線を境にして一方側と他方側にそれぞれ同数配置された電池ボックスと、電動モータおよび電池ボックスに電気的に接続された制御ボックスとを備える電動船。船体が、主船体と、主船体の左右の側面にそれぞれ主船体と略平行に取付けられた左右の小船体とで構成され、電池ボックスは、左右の小船体に配置される。
2011061963.tif 000002
【特許請求の範囲】
【請求項１】
船尾に取付けられた電動モータと、
該電動モータに電気的に接続されると共に、船首と船尾を結ぶ略中央軸線上に配置されるか、もしくは、船首と船尾を結ぶ略中央軸線を境にして一方側と他方側にそれぞれ同数配置された電池ボックスと、
前記電動モータおよび前記電池ボックスに電気的に接続された制御ボックスとを備える
電動船。
【請求項２】
船体が、主船体と、該主船体の左右の側面にそれぞれ該主船体と略平行に取付けられた左右の小船体とで構成され、
前記電池ボックスは、該左右の小船体に配置された
請求項１に記載の電動船。
【請求項３】
前記電池ボックスおよび前記制御ボックスが防水加工された
請求項１に記載の電動船。
【請求項４】
前記電池ボックスは、船首と船尾を結ぶ略中央軸線の略中央を横切る軸線よりも前記電動モータに近い位置に配置され、
前記制御ボックスは、船首と船尾を結ぶ略中央軸線上に配置された
請求項１に記載の電動船。
【請求項５】
前記電動モータは電動船外機であり、
電池ボックスは、船首と船尾を結ぶ略中央軸線を境にして一方側と他方側にそれぞれ１つ配置されると共に、船体の略中央に１つ配置され、
前記制御ボックスは、船体の略中央に配置された電池ボックスよりも船首に近い位置に１つ配置された
請求項１に記載の電動船。
【発明の詳細な説明】
【技術分野】
【０００１】
本発明は電動船に関する。詳しくは、ガソリンエンジン等を搭載した船舶を電動化して得られた電動船に係るものである。
【背景技術】
【０００２】
ボートなどの小型船舶を推進させる場合、操船性の向上などのため、単エンジンと単エンジンによって稼働するプロペラとを備える、いわゆる船内外機や船外機を、船舶後部の所定位置に設置する。【０００３】
船内外機は、エンジンを船内船尾部に設置し、減速歯車、前後進クラッチ、プロペラ等を一体化したドライブユニットを船尾板より外部に設置した方式となっている。また、ドライブユニットは、左右に動き、舵としての役目も果たすと共に、係留時、上架時には、上にはね上げられるようになっている。【０００４】
また、船外機は、エンジン、ギア、シャフト、スクリュー等が一体となっており、軸を中心にして方向を変えられ、船外機自体が舵となる。また、船外機のエンジンは、高出力な２ストロークガソリンエンジンから、排出ガスのよりきれいな４ストロークガソリンエンジンに転換しつつある。【０００５】
また、船外機が発する騒音の低減を目指して、例えば特許文献１には、船外機のフレームを構成する部材としてエクステンションケースを備えると共に、エクステンションケースの固有振動数を、エンジンが最高回転数で運転されるときに生じる振動数よりも高い値に設定することで、船外機の運転時にエクステンションケースが共振することを防止し、外部に伝播される騒音すなわち船外機が発する騒音を低減する旨が記載されている。
【先行技術文献】
【特許文献】
【０００６】
【特許文献１】特開２００６−７９４３号公報
【発明の概要】
【発明が解決しようとする課題】
【０００７】
しかしながら、船内外機や船外機は、ガソリン等を使用した内燃機関、すなわちガソリンエンジン等を搭載している。また、ガソリンは、その価格の変動が激しく、急に高騰する場合もあり、船舶を駆動する燃料費が高騰してしまう。また、船内外機や船外機に搭載したガソリンエンジン等から二酸化炭素が排出され、排出量が多いと、環境問題を引き起こす。【０００８】
そこで、動力源として電動モータを備えた、船内外機または船外機を船舶に設置することが考えられる。【０００９】
しかし、電動モータを備えた船内外機または船外機を船舶に設置する場合、ガソリンエンジン等を備えた船内外機または船外機よりも、船内外機または船外機以外の部品例えば電池の重量が大きいので、部品の配置が悪いと、船舶の重量バランスを崩し、安定して航行できない。【００１０】
なお、図５に示すように、従来のガソリンエンジン搭載の船舶１０１は、船尾に取付けられたガソリンエンジン船外機１０２と、ガソリンを収容した燃料タンク１０３とを備える。【００１１】
本発明は、以上の点に鑑みて創案されたものであり、部品の重量バランスが良い電動船を提供することを目的とする。
【課題を解決するための手段】
【００１２】
上記の目的を達成するために、本発明の電動船は、船尾に取付けられた電動モータと、該電動モータに電気的に接続されると共に、船首と船尾を結ぶ略中央軸線上に配置されるか、もしくは、船首と船尾を結ぶ略中央軸線を境にして一方側と他方側にそれぞれ同数配置された電池ボックスと、前記電動モータおよび前記電池ボックスに電気的に接続された制御ボックスとを備える。【００１３】
ここで、電池ボックスが、船首と船尾を結ぶ略中央軸線上に配置されるか、もしくは、船首と船尾を結ぶ略中央軸線を境にして一方側と他方側にそれぞれ同数配置されるので、基本的なバランスをとることができる。【００１４】
また、本発明の電動船において、船体が、主船体と、主船体の左右の側面にそれぞれ主船体と略平行に取付けられた左右の小船体とで構成され、電池ボックスは、左右の小船体に配置されることとすることができる。【００１５】
ここで「主船体と略平行」とは、「主船体の船首と船尾を結ぶ略中央軸線と、小船体の船首と船尾を結ぶ略中央軸線とが略平行である」という意味である。
また、ここで「左右」とは、「主船体の船首と船尾を結ぶ略中央軸線を境にした、一方の側と他方の側」を意味する。【００１６】
また、本発明の電動船において、電池ボックスおよび制御ボックスが防水加工されている事が好ましい。【００１７】
また、本発明の電動船において、電池ボックスは、船首と船尾を結ぶ略中央軸線の略中央を横切る軸線よりも電動モータに近い位置に配置され、制御ボックスは、船首と船尾を結ぶ略中央軸線上に配置されることとすることができる。【００１８】
また、本発明の電動船において、電動モータは電動船外機であり、電池ボックスは、船首と船尾を結ぶ略中央軸線を境にして一方側と他方側にそれぞれ１つ配置されると共に、船体の略中央に１つ配置され、制御ボックスは、船体の略中央に配置された電池ボックスよりも船首に近い位置に１つ配置されることが好ましい。
【発明の効果】
【００１９】
本発明に係る電動船は、部品の重量バランスが良い。
【図面の簡単な説明】
【００２０】
【図１】本発明の電動船の第１の実施態様を示す概略図である。
【図２】本発明の電動船の第２の実施態様を示す概略図である。
【図３】本発明の電動船の第３の実施態様を示す概略図である。
【図４】本発明の電動船の第４の実施態様を示す概略図である。
【図５】従来のガソリンエンジン搭載の船舶を示す概略図である。
【発明を実施するための形態】
【００２１】
以下、本発明の実施の形態について図面を参照しながら説明し、本発明の理解に供する。
図１は、本発明の電動船の第１の実施態様を示す概略図である。
【００２２】
図１において、本発明の電動船１は、ガソリンエンジン船外機を取外して電動船外機（電動モータの一例である。）２が船尾に取付けられた船舶である。
【００２３】
また、本発明の電動船１は、電動船外機２に電気的に接続されると共に、船体５の船首と船尾を結ぶ略中央軸線上に一列に配置された複数の電池ボックス３を備える。
また、複数の電池ボックス３は互いにケーブル６で電気的に接続されている。
また、複数の電池ボックス３のうち、少なくとも１つが補機として用いられる。
【００２４】
また、本発明の電動船１は、電動船外機２および電池ボックス３にケーブル６を介して電気的に接続された制御ボックス４を備える。
また、制御ボックス４は、電動船外機２と電池ボックス３の間に配置されている。
【００２５】
また、複数の電池ボックス３、制御ボックス４およびケーブル６は、防水加工されている。
【００２６】
ここで、制御ボックスが、電動モータおよび電池ボックスに電気的に接続されていれば、制御ボックスは必ずしも１つでなくてもよく、２つ以上であってもよい。
【００２７】
また、複数の電池ボックスは、必ずしも船体の船首と船尾を結ぶ略中央軸線上に一列に配置されていなくてもよく、例えば、船体の船首と船尾を結ぶ略中央軸線を境にして、一つの船体内の一方側と他方側にそれぞれ一列に同数配置されてもよいし、また、船体の船首と船尾を結ぶ略中央軸線を境にして、ジグザグ状に（換言すれば、互い違いに）、一つの船体内の一方側と他方側にそれぞれ同数配置されてもよい。
【００２８】
図２は、本発明の電動船の第２の実施態様を示す概略図である。
図２において、本発明の電動船１の船体は、主船体５Ａと、主船体５Ａの左右の側面にそれぞれ主船体５Ａと略平行に取付けられた左右の小船体７とで構成される。
【００２９】
また、複数の電池ボックス３は、左右の小船体７にそれぞれ一列に同数配置される。すなわち、複数の電池ボックス３は、主船体５Ａの船首と船尾を結ぶ略中央軸線を境にして、一方側（左側）の小船体７と他方側（右側）の小船体７にそれぞれ一列に同数配置される。
また、小船体７において、複数の電池ボックス３は、小船体７の船首と船尾を結ぶ略中央軸線上に配置される。
【００３０】
また、主船体５Ａの船尾に電動船外機２が取付けられ、制御ボックス４が主船体５Ａの電動船外機２付近に配置されている。
また、制御ボックス４は、電動船外機２と電池ボックス３の間に配置されている。
【００３１】
図３は、本発明の電動船の第３の実施態様を示す概略図である。
図３において、本発明の電動船１の船体は、主船体５Ａと、主船体５Ａの左右の側面にそれぞれ主船体５Ａと略平行に取付けられた左右の小船体７とで構成される。
【００３２】
また、複数の電池ボックス３は、左右の小船体７にそれぞれ一列に同数配置されると共に、主船体５Ａの船首と船尾を結ぶ略中央軸線上に一列に配置される。
また、小船体７において、複数の電池ボックス３は、小船体７の船首と船尾を結ぶ略中央軸線上に配置される。
【００３３】
また、主船体５Ａの船尾に電動船外機２が取付けられ、制御ボックス４が主船体５Ａの電動船外機２付近に配置されている。
また、制御ボックス４は、電動船外機２と電池ボックス３の間に配置されている。
【００３４】
図４は、本発明の電動船の第４の実施態様を示す概略図であり、図４（ａ）は本発明の電動船の概略平面図であり、図４（ｂ）は、図４（ａ）のＡ−Ａ線に沿った概略断面図である。
図４において、本発明の電動船１は、ガソリンエンジン船外機を取外して電動船外機２が船尾に取付けられた船舶である。
【００３５】
また、本発明の電動船１は、電動船外機２とケーブル（図示せず。）を介して接続されると共に、船首と船尾を結ぶ略中央軸線の略中央を横切る軸線よりも電動船外機２に近い位置に配置された、第１の電池ボックス３Ａおよび第２の電池ボックス３Ｂを備える。
【００３６】
また、第１の電池ボックス３Ａおよび第２の電池ボックス３Ｂは、船首と船尾を結ぶ略中央軸線を境にして一方側と他方側にそれぞれ１つ配置されている。
【００３７】
また、本発明の電動船１は、船体５の略中央に配置された第３の電池ボックス３Ｃを備える。なお、この場合、第３の電池ボックス３Ｃが補機として用いられる。
【００３８】
また、本発明の電動船１は、電動船外機２および第１〜３の電池ボックス（３Ａ、３Ｂ、３Ｃ）と電気的に接続されると共に、船首と船尾を結ぶ略中央軸線上に配置された制御ボックス４を備える。制御ボックス４は、船体５の略中央に配置された第３の電池ボックス３Ｃよりも船首に近い位置に１つ配置されている。
【００３９】
また、第１〜３の電池ボックス（３Ａ、３Ｂ、３Ｃ）、および、制御ボックス４は防水加工されている。
【００４０】
以上のように、本発明の電動船は、電池ボックスが、船首と船尾を結ぶ略中央軸線上に配置されるか、もしくは、船首と船尾を結ぶ略中央軸線を境にして一方側と他方側にそれぞれ同数配置されるので、基本的なバランスをとることができる。
【００４１】
よって、電動化されても部品の重量バランスが良い。従って、電動化されても効率的な航行が可能となる。
【００４２】
また、電動船外機、電池ボックスおよび制御ボックスは、パッケージングされているので、重量バランスを考慮して部品の配置を行なうことができる。
【符号の説明】
【００４３】
１    電動船
２    電動船外機
３    電池ボックス
３Ａ  第１の電池ボックス
３Ｂ  第２の電池ボックス
３Ｃ  第３の電池ボックス
４    制御ボックス
５    船体
５Ａ  主船体
６    ケーブル
７    小船体
【図１】
2011061963.tif 000003
【図２】
2011061963.tif 000004
【図３】
2011061963.tif 000005
【図４】
2011061963.tif 000006
【図５】
2011061963.tif 000007
【国際調査報告】
2011061963.tif 000008
2011061963.tif 000009
2011061963.tif 000010
2011061963.tif 000011